(57)【要約】【課題】  機密性の高い文字データーは複写できないようにし、機密性のない文字データー又は機密性の高い文字データーと関連性のない文字データーは、視認しやすくバーコード表示ができるようにした複写防止用シートを提供する。  また、価格が安く量産に適した複写防止用シートを提供することにある。【解決手段】  印刷又は筆記した文字データーを複写しても視認できないようにした金属蒸着膜１３を表面１１に形成した紙又は合成樹脂フィルム１０の前記金属蒸着膜面１３に、明色系のベタ印刷面１、２、３、５を複数箇所形成させ、前記明色系のベタ印刷面１、２、３、５及び６に印刷又は筆記できるようにしたものである。【選択図】        図２
2005329652.tif 000002
【特許請求の範囲】
【請求項１】
印刷又は筆記した文字データーを複写しても視認できないようにした金属蒸着膜を表面に形成した紙又は合成樹脂フィルムの前記金属蒸着膜面に、明色系のベタ印刷面を複数箇所形成させ、前記明色系のベタ印刷面に印刷又は筆記できるようにしたことを特徴とする複写防止用シート。
【請求項２】
印刷又は筆記した文字データーを複写しても視認できないようにした金属蒸着膜を表面に形成した紙又は合成樹脂フィルムの前記金属蒸着膜面に、明色系のベタ印刷面を複数箇所形成させ、前記明色系のベタ印刷面に印刷又は筆記すると共に、前記明色系のベタ印刷面に印刷又は筆記した文字データーを、前記金属蒸着膜面に別に形成した明色系のベタ印刷面に印刷表示したバーコードに入力できるようにしたことを特徴とする複写防止用シート。
【請求項３】
印刷又は筆記した文字データーを複写しても視認できないようにした金属蒸着膜を表面に形成した紙又は合成樹脂フィルムの前記金属蒸着膜面に、明色系のベタ印刷面を複数箇所形成させ、前記明色系のベタ印刷面に印刷又は筆記すると共に、前記明色系のベタ印刷面に印刷又は筆記した文字データーを、前記金属蒸着膜面上に貼付したバーコードラベルの印刷表示により入力できるようにしたことを特徴とする複写防止用シート。
【発明の詳細な説明】
【技術分野】
【０００１】
本発明は、金属蒸着膜を紙又は合成樹脂フィルムの表面に形成し、その上に印刷又は筆記した文字データーが複写できないようにした複写防止用シートに関する。
【背景技術】
【０００２】
上記複写防止用シートは、その金属蒸着膜面に印刷又は油性ペン等で筆記したものを電子複写機等で複写しても印刷又は筆記による文字データーは視認できなくなる。しかしながら、文字データのうち、機密性の高い事項以外の事項や機密性の高い事項と関連性のない事項は、上記複写防止用シートの表面に視認しやすい印刷又は筆記又はこれらの複写をしても支障はなく、さらに、これらの事項の文字データはバーコードでまとめて入力表示することが便利である。
そこで本発明者は、上記紙又は合成樹脂フィルムの金属蒸着膜面上に、視認が容易な明色系のベタ印刷面を形成して、その印刷面上に印刷又は筆記ができるようにし、また、明色系のベタ印刷面に印刷又は筆記された文字データを電子複写、又は、２枚目、３枚目の用紙にカーボンによる複写を可能にし、さらに、明色系のベタ印刷面に印刷又は筆記した文字データーを入力してバーコードとして表示できるようにし、機密性を要する文字データーは金属蒸着面に直接、印刷又は筆記し、機密性を要しない文字データー又は機密性を要する文字データーと関連のない文字データーは、金属蒸着面に別に印刷した明色系のベタ印刷面に印刷表示したバーコードによって入力できるようにするか金属蒸着面に貼着するバーコードラベルによって入力できるようにすることにより新規な複写防止用紙の開発に成功した。
【特許文献１】特開昭６１−２３１８７号公報
【特許文献２】特開昭６４−４２６７８号公報
【特許文献３】特開昭６２−１７４１８９号公報
【特許文献４】特開昭６３−２４９６８８号公報
【発明の開示】
【発明が解決しようとする課題】
【０００３】
本発明は、機密性の高い文字データーは複写できないようにし、機密性のない文字データー又は機密性の高い文字データーと関連性のない文字データーは、視認しやすくすると共に、バーコードで入力表示ができるようにした複写防止用シートを提供することにある。
また、本発明は、価格が安く量産に適した複写防止用シートを提供することにある。
【課題を解決するための手段】
【０００４】
本発明複写防止用シートは、上記課題を達成するため、図示するように、印刷又は筆記した文字データーを複写しても視認できないようにした金属蒸着膜を表面に形成した紙又は合成樹脂フィルムの前記金属蒸着膜面に、明色系のベタ印刷面を複数箇所形成させ、前記明色系のベタ印刷面に印刷又は筆記できるようにしたものである。
また、本発明複写防止用シートは、上記課題を達成するため、図示するように、印刷又は筆記した文字データーを複写しても視認できないようにした金属蒸着膜を表面に形成した紙又は合成樹脂フィルムの前記金属蒸着膜面に、明色系のベタ印刷面を複数箇所形成させ、前記明色系のベタ印刷面に印刷又は筆記すると共に、前記明色系のベタ印刷面に印刷又は筆記した文字データーを、前記金属蒸着膜面に別に形成した明色系のベタ印刷面に印刷表示したバーコードに入力できるようにしたものである。
さらに、本発明複写防止用シートは、上記課題を達成するため、図示するように、印刷又は筆記した文字データーを複写しても視認できないようにした金属蒸着膜を表面に形成した紙又は合成樹脂フィルムの前記金属蒸着膜面に、明色系のベタ印刷面を複数箇所形成させ、前記明色系のベタ印刷面に印刷又は筆記すると共に、前記明色系のベタ印刷面に印刷又は筆記した文字データーを、前記金属蒸着膜面上に貼付したバーコードラベルの印刷表示により入力できるようにしたものである。
本発明において、複写防止用シートの金属蒸着膜は、紙又は合成樹脂フィルム上に公知方法で蒸着され、表面絶縁電気抵抗値は１０８ 〜１０１２ オームの範囲にあることが好ましい。
明色系の印刷面は、通常、白色など文字の色と識別しやすい色のいわゆるベタ印刷で行われる。
紙又は合成樹脂フィルムに形成した金属蒸着膜上の筆記は、油性マーカーやボールペンで加筆でき、明色系のベタ印刷面は市販の筆記具で加筆できるが、２枚目、３枚目等にカーボン紙で転記する場合は、ボールペンや鉛筆で加筆することが好ましい。
明色系のベタ印刷面へのバーコードの表示は、公知の印刷により行われるが、金属蒸着膜上にバーコードを印刷表示する明色系のベタ印刷面を形成しなくても、金属蒸着膜上へのバーコードラベルの貼付によって行われてもよい。
【発明の効果】
【０００５】
本発明複写防止用シートは、機密性を要する事項、例えば、住所、氏名、年令、生年月日、職業、勤務先、会社名、口座番号等は、金属蒸着膜上に印刷、筆記等により、複写できないように記入し、機密性を要しない事項又は機密性を要する事項と直接関連づけられない事項、例えば、身長、体重、振込金額、預入金額、引出金額等は容易に視認できる印刷又は筆記で記入し、また、これらはバーコードで入力表示ができるようにすれば、事務処理上能率化をはかることができる。
【発明を実施するための最良の形態】
【０００６】
本発明複写防止用シートは、紙又は合成樹脂フィルム表面に形成した印刷又は筆記可能な金属蒸着面に視認しやすい明色のベタ印刷面を複数箇所設けたことを特徴としている。
【実施例】
【０００７】
本発明複写防止用シートの実施例が図１及び図２に示されている。
本発明の実施例の複写防止用シートは、６４ｇ／ｍ２の厚みのコート紙の表面に、アルミニウム薄膜を蒸着し、その上に印刷又は筆記しやすくする公知のアクリル樹脂系その他の樹脂コーティングを施したものである。また、アルミニウム薄膜蒸着面（樹脂コーティング膜を含む）１３には、１、２、３及び５の白インクのベタ印刷面が上塗りするように形成され、その上に線引及び文字が印刷されている。また、ベタ印刷面の余白は印刷又は通常の筆記具で筆記ができるようになっている。
また、４は表面のアルミニウム蒸着膜面上に直接、線引及び文字が印刷され、その余白は印刷又は油性ペン等で筆記できるようになっている。
６は、表面に白インクのベタ印刷面が形成され、バーコードが印刷表示できるようになっている。
従って、印刷面１、２、３及び５は、機密性を要しない事項又は機密性を要する事項とは関連のない事項の記入欄で、文字データーを印刷又は通常の筆記具で筆記できるもので電子複写可能である。さらに、印刷面１、２、３及び５は、その裏面をカーボン印刷するか又は裏面にカーボン紙を挿入して２枚目、３枚目を複写できるようにすることができる。
６は、前述したように、１、２、３及び５に記入された文字データーを入力したバーコードの表示を印刷する白ベタ印刷面として利用される。また、６の白ベタ印刷面を形成させる代りに、アルミニウム薄膜蒸着面１３上にバーコードラベルを貼着できるようにしてもよい。
さらに、４は、機密性を要する事項の印刷又は油性ペンなどの筆記欄となるもので、複写することができない。
【産業上の利用可能性】
【０００８】
本発明の複写防止用シートは、複写による情報の盗用を防止できると共に、機密性を要しない事項又は機密性を要する事項と関連のない事項の文字データーを入力したバーコードが表示ができるので、その分だけ事務の能率化をはかることができる。
また、本発明の複写防止用シートは、量産できるので、安価に製造できる。
【図面の簡単な説明】
【０００９】
【図１】本発明実施例を示す平面図である。
【図２】図１の部分拡大断面図である。
【符号の説明】
【００１０】
１０    紙又は合成樹脂フィルム
１１    紙又は合成樹脂フィルムの表面
１２    紙又は合成樹脂フィルムの裏面
１３    金属薄膜蒸着面
１、２、３、５、６    明色系ベタ印刷面
４      機密性を要する事項の記入欄
【図１】
2005329652.tif 000003
【図２】
2005329652.tif 000004